(57)【要約】【課題】鏡付きのメーキャップ用コンパクト提供する。【解決手段】コンパクト（１）は、ベース（２）と、ベース内に収納された化粧品（Ｐ）及び/又はアプリケータと、ヒンジを介してベースに連結された支持体（３）と、支持体に対して回転する蓋（１２）と、蓋によって支持された鏡（１６）とを有し、蓋は、蓋が支持体に対して回転した後、第１の形態から第２の形態に、また、第２の形態から第１の形態に移行することができるような仕方で支持体に対して回転し、この回転は、単一の平面内の回転であり且つヒンジの回転軸線と交差する回転軸線以外の回転軸線回りの回転である。【選択図】図４
2008289898.tif 000002
【特許請求の範囲】
【請求項１】
メーキャップ用のコンパクトであって、
・ベースと、
・前記ベース内に収納された化粧品及び/又はアプリケータと、
・ヒンジを介して前記ベースに連結された支持体と、
・前記支持体に対して回転する蓋と、
・前記蓋によって支持された鏡とを有し、前記蓋は、前記蓋が前記支持体に対して回転した後、第１の形態から第２の形態に、また、第２の形態から第１の形態に移行することができるような仕方で前記支持体に対して回転し、前記回転は、単一の平面内の回転であり且つ前記ヒンジの回転軸線と交差する回転軸線回りの回転ではない、コンパクト。
【請求項２】
前記第１の形態から前記第２の形態への移行は、１／４回転で行われ、前記第１の形態は、前記蓋の長手方向軸線が前記ヒンジの前記回転軸線に実質的に垂直に差し向けられたポートレート形態であり、前記第２の形態は、前記鏡を支持した前記蓋の前記長手方向軸線が、前記ヒンジの前記回転軸線に実質的に平行に差し向けられたランスケープ形態である、請求項１記載のコンパクト。
【請求項３】
前記蓋は、前記蓋が前記第１の形態で閉じられる場合、前記ベースの周囲に内接する、請求項１記載のコンパクト。
【請求項４】
前記蓋は、前記第２の形態では、前記蓋又は前記鏡の中心が、前記蓋の短い方の軸線の半分よりも長い又はこれに等しい距離だけ前記ヒンジのピボット軸線から離れて位置するように傾けられる、請求項１記載のコンパクト。
【請求項５】
前記蓋及び/又は前記鏡は、前記第１の形態と前記第２の形態の両方において前記ベースに対して心出しされる、請求項１記載のコンパクト。
【請求項６】
前記蓋を前記支持体に対して前記第１の形態と前記第２の形態との間で純粋な回転以外の動きの仕方で動かすことができる機構部を有する、請求項１記載のコンパクト。
【請求項７】
前記支持体に対する前記蓋の運動は、２つの案内及び前記案内内で又はこれら案内に沿って動く凸部によって規定される、請求項１記載のコンパクト。
【請求項８】
前記案内のうちの一方は、円弧に沿って又はサイクロイドの一部分に沿って延びる、請求項７記載のコンパクト。
【請求項９】
前記案内は、前記蓋のかどが、前記ヒンジの前記回転軸線に実質的に平行に動くように配置されている、請求項８記載のコンパクト。
【請求項１０】
前記鏡を支持した前記蓋を前記第１の形態及び前記第２の形態のうちの少なくとも一方に戻すように構成された戻り部材を有する、請求項１記載のコンパクト。
【発明の詳細な説明】
【技術分野】
【０００１】
本発明は、少なくとも１種類の化粧品の入ったベースにヒンジ式に連結された蓋を有するメーキャップ用のコンパクトに関し、本発明は、特に、蓋が鏡を支持しているメーキャップ用コンパクトに関する。
【背景技術】
【０００２】
蓋は、形状が矩形である場合が多い。蓋の短い方の辺又は側部が、蓋をベースに連結したヒンジに平行である場合、コンパクトは、ヒンジに平行に延びるのが蓋の長い方の辺又は側部である場合と比較して、取り扱いが容易である。しかしながら、最初に述べた状況では、蓋によって支持された鏡は、幅が狭すぎるので顔面全体又は両目を容易には観察できないという結果が生じ、又、メーキャップをする際には邪魔になる場合がある。後に述べた状況では、上述したようにメーキャップをするのは容易であるが、コンパクトの取り扱いにおける利点が少なくなる。
【０００３】
その結果、コンパクトを手で持つことができるということとメーキャップ対象の領域が良く見えるということを両立させることができるようにする必要がある。
【０００４】
日本国特許出願公開第２００５−３０４９１４号公報は、蓋にトリプティック（triptych）のように取り付けられた複数の鏡を開示している。同様な解決策が、英国特許第２，３６３，７１２号明細書及び独国特許第５９６，１３７号明細書に採用されている。複数の鏡を用いることにより、コンパクトは製造したり使用したりするのがより複雑になる。
【０００５】
仏国特許第８３６，３７１号明細書は、鏡が蓋の外部にヒンジ式に取り付けられ、それによりコンパクトが幾分魅力の無いものになり、しかも鏡が露出されて壊れる恐れが高くなっているコンパクトを記載している。
【０００６】
日本国特許出願公開第２００６−２８８７６４号公報は、鏡を支持した蓋が第１の軸線回りに動くようベースに対してヒンジ留めされると共に第１の軸線に垂直な軸線回りに傾くことができるコンパクトを開示している。傾斜後、ベースは、鏡の一部分を隠すので、その利点が制限される。
【０００７】
米国特許第２，３０９，５５４号明細書及び同第１，６２６，４７４号明細書は、それぞれ、鏡が鏡の平面に平行な軸線回りに回転するコンパクトを記載している。
【０００８】
英国特許第６６６，５９２号明細書は、鏡を備えると共にアームによって容器に連結された蓋を有するボックスを記載しており、蓋は、円対称の形をしている。
【０００９】
本発明は、メーキャップ用コンパクトを更に改良しようとするものである。
【００１０】
【特許文献１】日本国特許出願公開第２００５−３０４９１４号公報
【特許文献２】英国特許第２，３６３，７１２号明細書
【特許文献３】独国特許第５９６，１３７号明細書
【特許文献４】仏国特許第８３６，３７１号明細書
【特許文献５】日本国特許出願公開第２００６−２８８７６４号公報
【特許文献６】米国特許第２，３０９，５５４号明細書
【特許文献７】米国特許第１，６２６，４７４号明細書
【特許文献８】英国特許第６６６，５９２号明細書
【発明の開示】
【００１１】
本発明の特徴では、メーキャップ用のコンパクトは、
・ベースと、
・ベース内に収納された化粧品及び/又はアプリケータと、
・ヒンジを介してベースに連結された支持体と、
・支持体に対して回転する蓋と、
・蓋によって支持された鏡とを有し、蓋は、蓋が支持体に対して回転した後、第１の形態から第２の形態に、また、第２の形態から第１の形態に移行することができるような仕方で支持体に対して回転し、回転は、単一の平面内の回転であり且つヒンジの回転軸線と交差する回転軸線回りの回転ではない。
【００１２】
特に、回転は、３０°以上、より良好には、６０°以上、例えば１／４回転、好ましくはポートレート形態とランスケープ形態との間で行われるのが良い。
【００１３】
「ポートレート形態」（縦形態）という用語は、蓋の長手方向軸線がヒンジの回転軸線に実質的に垂直に差し向けられていることを意味するものと理解されるべきであり、「ランスケープ形態」（横形態）という用語は、蓋の長手方向軸線がヒンジの回転軸線に実質的に平行に差し向けられていることを意味するものと理解されるべきである。
【００１４】
本発明により、コンパクトは、閉じられたときに幅が比較的狭い形態になるように作られるのが良く、そのサイズは、例えば鏡の最も長い横方向寸法よりもほんの僅か長いものであり、それにより、コンパクトは取り扱いが容易になり、しかも、例えばランスケープ形態に移行させた後ではメーキャップされるべき表面が比較的広く見えるようにすることができる。
【００１５】
蓋は、支持体の内側に位置するのが良い。
【００１６】
鏡を支持した蓋は、第１の形態及び第２の形態のうちの一方の形態、好ましくはランスケープ形態では、蓋の中心が、蓋の短い方の軸線の半分よりも長い又はこれに等しい距離だけヒンジのピボット軸線から離れて位置するように傾けられるのが良い。
【００１７】
「短い方の軸線」という用語（以下、「短軸」という場合がある）は、蓋が矩形の場合、短辺又は短い方の側部を意味し、任意他の形状の蓋に関しては最も大きな横方向寸法を意味するために用いられている。上記の距離により、ランスケープ形態の場合、蓋によって支持されていて、メーキャップをするための鏡の領域全体を用いることが容易になる。
【００１８】
蓋及び/又は鏡は、好ましくは、第１の形態と第２の形態の両方においてベースに対して心出しされる。
【００１９】
蓋は、蓋がポートレート形態で閉じられる場合、ベースの周囲に内接するのが良い。
【００２０】
蓋の形状は、全体として矩形であるのが良いが、本発明は、特に、コンパクトがいったん開かれると、求めようとする利点が蓋をヒンジから遠ざけることにある場合、他の形状の蓋にも利用できる。
【００２１】
蓋は、必要に応じて、丸くなったかどを備えることができる。
【００２２】
蓋を第１の形態と第２の形態との間で動かすことは、支持体に取り付けられている蓋の動きを適切に案内することにより鏡の平面に平行に行われるのが良い。
【００２３】
コンパクトは、蓋を支持体に対して例えば第１の形態と第２の形態との間で純粋な回転以外の動きの仕方で動かすことができる機構部を有するのが良い。この機構部は、例えば、これが全体として鏡の後ろに位置しているので、見えることが必要であるというわけではない。鏡は、蓋の内側に位置し、コンパクトが閉じられたときにベースに向くのが良い。鏡全体は、第１の形態と第２の形態の両方において見えるのが良い。というのは、これは、ベースによって隠されるわけではないからである。
【００２４】
一例を挙げると、支持体に対する蓋の運動は、２つの案内及び案内内で又はこれら案内に沿って動く凸部、例えばラグ（突起）によって規定されるのが良い。案内のうちの一方は、直線状であるのが良い。他方の案内は、例えば円弧又はサイクロイドであるのが良い。
【００２５】
案内は、蓋のかどが、ヒンジの回転軸線に実質的に平行に動くように配置されているのが良い。これにより、ヒンジに途切れ部又は窪みを設けることを回避することが可能である。
【００２６】
また、案内は、蓋のかどが直線状又は曲線状の経路に沿ってヒンジの軸線から遠ざかるように配置されるのが良い。
【００２７】
また、蓋は、支持体に対して静止しているピボット回りに支持体にヒンジ留めされるのが良い。
【００２８】
蓋及び支持体のうちの一方は、円弧の形をした案内を有するのが良く、他方は、案内内で又はこれに添って動く凸部、例えばラグを有するのが良い。支持体をベースに連結するヒンジは、必要ならば、蓋が第１の形態と第２の形態との間で回転している間、蓋のかどが通過することができるように途切れていても良い。
【００２９】
コンパクトは、蓋を第１の形態及び第２の形態のうちの少なくとも一方に戻すような仕方で蓋と支持体を連結した弾性又は磁気戻り部材を有する、
【００３０】
一例を挙げると、弾性戻り部材は、第１の形態と第２の形態との間で最大応力状態を通過するのが良く、それにより、例えば、鏡をそのランスケープ形態とそのポートレート形態のいずれにおいても安定して保持することができる。
【００３１】
一例を挙げると、磁気戻り部材は、第１の形態と第２の形態との間で最大引付力状態又は２つの形態相互間で最大反発力状態を通過するのが良い。
【００３２】
蓋は、ポートレート形態では支持体よりも長いのが良い。
【００３３】
ベースは、互いに異なる化粧品及び/又はアプリケータを収容する複数の収納部を有するのが良い。化粧品は、少なくとも１種類のメーキャップ配合物を含むのが良い。ベースは、少なくとも１つの皿及び/又は少なくとも１種類の配合物のケークを受け入れるのが良い。
【００３４】
本発明は又、メーキャップをする方法であって、その特徴のうちの別の特徴において、次のステップ、即ち、
・蓋及びその支持体をベースに対して回動させることにより上述したようなメーキャップ用コンパクトを開くステップと、
・鏡を支持した蓋をベースに対する支持体の回転軸線と交差した回転軸線回りではなく、鏡の反射面により定められた平面に平行に支持体に対して回動させることにより鏡を支持した蓋を第１の形態、好ましくはポートレート形態から第２の形態、好ましくはランスケープ形態に移行させるステップと、
・メーキャップをするステップと、
・先ず最初に蓋を第１の形態に戻し、その後蓋をベース上に折り畳むことによりコンパクトを閉じるステップとを有する方法を提供する。
【００３５】
本発明は又、メーキャップ用のコンパクトであって、
・ベースと、
・ベース内に収納された化粧品及び/又はアプリケータと、
・ヒンジを介してベースに連結された支持体と、
・長手方向軸線を有し、ポートレート形態からランスケープ形態に、またランスケープ形態からポートレート形態に移行することができるような仕方で支持体に対して回る蓋と、
・蓋により、特にその内側で支持された鏡とを有することを特徴とするコンパクトを提供する。
【００３６】
コンパクトは、上述した特徴のうちの任意の１つを備えるのが良い。
【発明を実施するための最良の形態】
【００３７】
本発明の内容は、添付の図面を参照して本発明の非限定的な実施形態の詳細な説明を読むと一層良く理解できる。
【００３８】
図の全てに関し、同一の参照符号は、同一又は類似の要素を示すために用いられている。
【００３９】
図１〜図８に対応した実施形態としてのコンパクト１は、支持体３が回転軸線Ｘ回りにヒンジ留めされたベース２を有している。
【００４０】
一例を挙げると、支持体３は、図５に見えるピン５を含む従来型ヒンジによってベース２にヒンジ留めされているが、本発明は、支持体３をベース２にヒンジ留めする特定の方法には限定されず、ヒンジは、例えば、フィルムヒンジ又は支持体が弾性戻り部材の助けにより、閉じ位置及び/又は完全開き位置に向かってベースに対して傾くことができるようにするヒンジであっても良い。
【００４１】
支持体３は、蓋１２を支持し、この蓋は、コンパクトを閉じたときにベース２に向く反射面を備えた鏡１６を支持している。
【００４２】
ベース２は、少なくとも１つの収納部１０、この実施形態では、２つの収納部１０，１１を有し、これら収納部のうちの少なくとも一方は、例えば化粧品Ｐを受け入れ、他方の収納部は、別の化粧品の入った皿８又は化粧品を取り出してこれを塗布する少なくとも１つのアプリケータ（図示せず）を受け入れる。
【００４３】
一例を挙げると、ベース２は、熱可塑性材料を成形することにより単一品として作られる。変形例では、ベース２は、複数個の部品、特に収納部１０，１１を備えた本体及び外側カバーを組み立てることによって作られても良い。
【００４４】
図示の実施形態では、ベース２は、回転軸線Ｘに実質的に垂直に差し向けられている長辺又は長い方の側部１３，１４を備えた全体として矩形の形状を有する。
【００４５】
一例を挙げると、ベース２は、長さが幅の２倍であり、長さと幅の比として定義されるベース２の形状係数は、例えば１〜５の範囲内にある。
【００４６】
留め具９が、蓋２をその閉じ位置に保持することができる。
【００４７】
支持体は、熱可塑性材料で作られた単一部品として成形されても良く、複数の互いに組み立てられる部品から成っていても良い。
【００４８】
支持体をベースに連結するヒンジは、ピン５を受け入れる部分から成っていても良く、これら部分は、それぞれ、支持体及びベースを備えた単一部品として作られる。
【００４９】
支持体３の内側は、好ましくは、全体として矩形であるのが良い蓋１２を支持し、鏡１６は、例えば接着剤又はスナップ嵌合によって蓋１２に取り付けられる。図示のように、支持体３は、蓋１２を支持体３にヒンジ留めする機構部を隠す外側カバー２０を有するのが良い。
【００５０】
現在検討中の実施形態では、鏡１６は、支持体３に対して純粋に回転状態で動くのではなく、より複雑な動きをする。一例を挙げると、現在検討中の実施形態では、運動は、スロットの形態をした２つの案内５０，５１によって得られ、スロット５０は、曲線状の軸線を備えた回転軸線Ｘの近くに位置し、他方のスロット５１は、直線状の軸線を有する。一例を挙げると、スロットは、支持体３を貫通して形成される。
【００５１】
蓋１２は、図６〜図８で理解できるように、支持体３に対する鏡１６の所望の運動が得られるよう案内５０，５１に沿ってそれぞれ動く２つのラグ５３，５４を有している。
【００５２】
ラグ５３，５４は、スタッド３５，３６によって対応の案内の中に保持されるのが良く、これらスタッドは、ラグに締結されると共に鏡１６から見て反対側に位置する支持体の面に当接する。変形例として、ラグに代えてリベット又はねじを用いても良い。
【００５３】
案内５０は、サイクロイドの一部分の形状をしているのが良く、案内５１は、図６で理解できるように、鏡がそのポートレート形態にあるときにラグ５３が位置する案内５０の端部５９から上方且つ横向きに遠ざかって傾斜するのが良い。
【００５４】
図９〜図１１では、インデックス番号１〜６又は１〜７は、蓋が支持体に対して動いている間における案内内のラグの対応の位置を示している。
【００５５】
案内がサイクロイドの弧又は一部分の形状をしているので、蓋１２のかど１６ａについて直線経路を得ることが可能である。この経路は、斜めであるのが良く、かど１６ａは、図９に示すようにこれが回転しながら軸線Ｘから遠ざかる。この経路は、図１１に示すように軸線Ｘに平行であっても良い。図１１の実施形態では、案内５１は、軸線Ｘに垂直に延び、その長手方向軸線は、案内５０に関する中間対称平面に属する。かど１６ａから見て遠くに位置する側では、案内５０，５１は、ポートレート形態にある蓋に関する中間平面に対してオフセットしている。
【００５６】
案内５０の形状は、サイクロイドの弧又は一部分に近似した形状、例えば、図１０に示すような円の弧であっても良い。
【００５７】
この場合、蓋のかど１６ａの辿る経路は、完全に直線状であるわけではない。
【００５８】
図９〜図１１では、ポートレート形態（インデックス番号１）では、ラグ５４は、案内５１の底端部のところに位置し、ラグ５３は、案内５０の右側の端５９のところに位置している。
【００５９】
鏡１６を支持した蓋１２が、そのランスケープ形態（インデックス番号６又は７）に向かって時計回りの方向に傾動している間、ラグ５４は、案内５１内で上昇し、ラグ５３は、案内５０の左側の端６０に向かって動く。
【００６０】
蓋１２の長辺が回転軸線Ｘに対して実質的に４５°の角度に差し向けられている中間位置を通過した後、ラグ５４は、案内５１内で下降し、ラグ５３は、引き続き案内の左側の端６０に向かって動く。
【００６１】
弾性戻り部材８０を蓋と支持体との間で作用して例えば図９の中間位置（インデックス番号３）にあるときに最大応力状態を通過するように配置するのが良い。
【００６２】
一例を挙げると、弾性戻り部材８０は、図９に示すように支持体３上の２つの点Ｐ，Ｑのところに取り付けられた弾性変形可能なリンク又はループであり、蓋１２のラグ５４は、このラグ５４が案内５１の頂部のところに位置しているときには最大応力状態を通り、ラグ５４が案内５１の底部のところに位置しているときには依然として応力を受けるように弾性戻り部材に当接するよう配置されるのが良い。
【００６３】
かかる弾性戻り部材により、蓋１２をそのポートレート形態位置とそのランスケープ形態位置（図９のインデックス番号１，６）の両方に向かって押圧することが可能である。
【００６４】
弾性戻り部材８０は、他の多くの方法で、例えば、金属ピン又は螺旋ばね或いは更には、蓋及び/又は支持体内に組み込まれた磁石によって構成できる。
【００６５】
図１２は、案内５０，５１を蓋に作ると共に対応のラグ５３，５４を支持体３に形成する可能性を示している。
【００６６】
この実施形態では、曲線状案内５０は、直線状案内５１の場合よりも軸線Ｘから一段と遠くに位置している。
【００６７】
加うるに、案内５０は、図９〜図１１の実施形態では軸線Ｘに向かって凹状であるが、図１２の実施形態では、案内５０は、軸線Ｘに向かって凸状である。
【００６８】
図１２に示す変形例では、弾性戻り部材は、案内５０に沿って動くラグ５３がその経路に沿ってほぼ真ん中に位置しているときにその最大張力状態にあるような仕方で一端Ｐが蓋に締結され、他端が案内５１に沿って動くラグ５４に締結されたばね、例えば螺旋ばねである。
【００６９】
図１３〜図２０のコンパクトの実施形態は、支持体に対する蓋の動き方に関して図１〜図１２を参照して上述した実施形態とは異なっている。
【００７０】
図１３〜図２０の実施形態では、蓋は、支持体３に対して純粋に回転状態で動く。
【００７１】
支持体３は、蓋１２のラグ２５が、鏡１６の平面に垂直なピボット軸線Ｙを定めるような仕方で嵌まり込む穴２２を有する。
【００７２】
図示の実施形態では、支持体３は、全体として半円に沿って延びる曲線状案内２６を更に有し、蓋１２のラグ３０が、図１８及び図２０に示すように蓋１２の回転の際に２つのストロークの端の位置を定めるような仕方でこの曲線状案内２６に沿って動くことができる。
【００７３】
支持体３をベース２に連結するヒンジは、特に図１６で理解できるように蓋のかどを通過させることができるよう途切れている。
【００７４】
変形例では、案内２６は、その端のところに、ラグ３０をスナップ嵌合できる切欠きを有し、それにより、鏡をそのポートレート形態とそのランスケープ形態の両方にロックすることができる。
【００７５】
コンパクトを開くため、ユーザは、蓋１２を解除するために留め具（設けられている場合）を開いた後、蓋及び支持体を軸線Ｘ回りに回動させる。
【００７６】
支持体３をいったん持ち上げると、鏡１６を支持した蓋１２を、軸線Ｙ回りに９０°傾けることにより、図１５に示すそのポートレート形態から図１４に示すそのランスケープ形態に動かすことができる。
【００７７】
一例を挙げると、ユーザは、蓋１２を鏡と共に手にとって鏡を手作業で傾ける。蓋がこれをユーザがそのままにした位置を維持することができるようにするのに十分なブレーキをかけながら蓋を回すのが良い。一例を挙げると、ブレーキ作用は、ラグ２５，３０、穴２２及び案内２６相互間の摩擦により得られる。
【００７８】
コンパクト１を図４に示すランスケープ形態で用いることができる。
【００７９】
メーキャップをした後、ユーザは、蓋１２をそのポートレート形態に戻すのが良く、そして蓋をベース上に折り畳むのが良い。
【００８０】
本発明は、上述の実施形態には限定されない。蓋２は、他の何らかの仕方で、例えば、単一の収納部を備えた状態で作られても良い。
【００８１】
コンパクトは、蓋をそのポートレート形態又はランスケープ形態にロックするロック部材を有するのが良く、このロック部材は、例えば、支持体に形成されていて、蓋の本体の凹部にスナップ嵌合された状態になるタブの形態をしている。
【００８２】
蓋は、一方の案内及び一方のラグを有し、支持体は、他方の案内及び他方のラグを有するのが良い。
【００８３】
図示の実施形態では、支持体３は、鏡１６を支持した蓋１２よりも短く、従って、蓋は、そのランスケープ形態では、支持体を隠すことができるようになっている。図示していない変形例では、支持体は、蓋と同じ長さのもの、或いはほぼ同じ長さのものであると共に蓋と同じ幅のものであって良い。
【００８４】
蓋及び鏡は、蓋が金属めっきされている場合単一部品として形成されるのが良い。
【００８５】
図示の実施形態では支持体３に取り付けられるカバー２０は、図示していない実施形態では蓋に取り付けられても良い。ただし、蓋の回転の際、支持体が通過することができるようなスペースが残されていることを条件とする。
【００８６】
蓋は、矩形以外の細長い形状のものであっても良く、例えば、蓋は、長円形であっても良い。
【００８７】
コンパクトは、必要に応じて、蓋が例えばそのランスケープ形態に移行しているときに作動可能な照明手段を有することができる。
【００８８】
鏡は、必要に応じて、拡大された像を得ることができるようにする表面を備えることができる。
【００８９】
図示の実施形態では、蓋は、そのランスケープ形態位置に向かって時計回りの方向に傾けられる。反時計回りの方向に傾けるために、案内機構部は、軸線Ｘに垂直な右側の二等分線に関して対称に位置決めされるべきであり、「左側」と「右側」という用語は、互いに区別無く使用できる。
【００９０】
蓋を１／４回転以外の回転量、支持体に対して傾けることができ、蓋を例えばポートレート形態又はランスケープ形態以外の２つの形態相互間で傾けることができる。
【００９１】
原文明細書における“comprising a”（日本語訳文では、「〜を有する」と訳している場合が多い）という表現は、特に断らないかぎり、“comprising at least one ”（「〜を少なくとも１つ有する」）と同意であることは理解されるべきである。
【図面の簡単な説明】
【００９２】
【図１】ベースに対する鏡を支持した蓋の種々の形態でコンパクトの実施形態を示す斜視図である。
【図２】ベースに対する鏡を支持した蓋の種々の形態でコンパクトの実施形態を示す斜視図である。
【図３】ベースに対する鏡を支持した蓋の種々の形態でコンパクトの実施形態を示す斜視図である。
【図４】ベースに対する鏡を支持した蓋の種々の形態でコンパクトの実施形態を示す斜視図である。
【図５】図１〜図４のコンパクトの組立て分解図である。
【図６】蓋を支持した支持体に対する蓋の一形態を示す図である。
【図７】蓋を支持した支持体に対する蓋の別の形態を示す図である。
【図８】蓋を支持した支持体に対する蓋の別の形態を示す図である。
【図９】支持体に対する蓋の運動が案内のうちの一方に与えられた形状をどのように利用するかを示す動作図である。
【図１０】支持体に対する蓋の運動が案内のうちの一方に与えられた形状をどのように利用するかを示す動作図である。
【図１１】支持体に対する蓋の運動が案内のうちの一方に与えられた形状をどのように利用するかを示す動作図である。
【図１２】弾性戻り手段の使用状態を示す図である。
【図１３】図１〜図４に類似した図であって、コンパクトの変形実施形態を示す図である。
【図１４】図１〜図４に類似した図であって、コンパクトの変形実施形態を示す図である。
【図１５】図１〜図４に類似した図であって、コンパクトの変形実施形態を示す図である。
【図１６】図１〜図４に類似した図であって、コンパクトの変形実施形態を示す図である。
【図１７】図１３〜図１６のコンパクトを示す斜視図である。
【図１８】図１３〜図１７のコンパクトの支持体に対する蓋の一形態を示す図である。
【図１９】図１３〜図１７のコンパクトの支持体に対する蓋の別の形態を示す図である。
【図２０】図１３〜図１７のコンパクトの支持体に対する蓋の別の形態を示す図である。
【符号の説明】
【００９３】
１  コンパクト
２  ベース
３  支持体
８  皿
１０，１１  収納部
１２  蓋
１６  鏡
３５，３６  スタッド
５０，５１  案内
５３，５４  ラグ（突起）
８０  弾性戻り部材
Ｐ  化粧品
【図１】
2008289898.tif 000003
【図２】
2008289898.tif 000004
【図３】
2008289898.tif 000005
【図４】
2008289898.tif 000006
【図５】
2008289898.tif 000007
【図６】
2008289898.tif 000008
【図７】
2008289898.tif 000009
【図８】
2008289898.tif 000010
【図９】
2008289898.tif 000011
【図１０】
2008289898.tif 000012
【図１１】
2008289898.tif 000013
【図１２】
2008289898.tif 000014
【図１３】
2008289898.tif 000015
【図１４】
2008289898.tif 000016
【図１５】
2008289898.tif 000017
【図１６】
2008289898.tif 000018
【図１７】
2008289898.tif 000019
【図１８】
2008289898.tif 000020
【図１９】
2008289898.tif 000021
【図２０】
2008289898.tif 000022
【外国語明細書】
2008289898.tif 000023
2008289898.tif 000024
2008289898.tif 000025
2008289898.tif 000026
2008289898.tif 000027
2008289898.tif 000028
2008289898.tif 000029
2008289898.tif 000030
2008289898.tif 000031
2008289898.tif 000032
2008289898.tif 000033
2008289898.tif 000034
2008289898.tif 000035
2008289898.tif 000036
2008289898.tif 000037
2008289898.tif 000038
2008289898.tif 000039
2008289898.tif 000040
2008289898.tif 000041
2008289898.tif 000042
2008289898.tif 000043
2008289898.tif 000044
2008289898.tif 000045